(57)【要約】【課題】金属製トレイのカード搭載部分のみに絶縁膜を形成することができ、小型化及び薄型化が可能であるカードコネクタを提供することを目的とする。【解決手段】電子機器に搭載され、この電子機器に対して電子的な情報を入力及び／又は出力するカードを前記電子機器に着脱するカードコネクタにおいて、前記電子機器に対してその一部が前記コネクタ本体から引き出された引出位置と前記コネクタ本体内に押し込まれた押入位置との間を移動可能に設けられ、前記コネクタ本体から引き出された引出位置において前記カードを収納保持する金属製トレイであって、前記金属製トレイは外枠と、該外枠の内側において前記カードを係合する内向きフランジ状の保持枠とを備え、少なくとも対向する一対の保持枠のカード搭載面に、所望の厚さの絶縁膜を形成したことを特徴とするカードコレクタ。【選択図】図１
2016072048.tif 000002
【特許請求の範囲】
【請求項１】
電子機器に搭載され、この電子機器に対して電子的な情報を入力及び／又は出力するカードを前記電子機器に着脱するカードコネクタにおいて、
前記電子機器に対してその一部が前記コネクタ本体から引き出された引出位置と前記コネクタ本体内に押し込まれた押入位置との間を移動可能に設けられ、前記コネクタ本体から引き出された引出位置において前記カードを収納保持する金属製トレイであって、
前記金属製トレイは外枠と、該外枠の内側において前記カードを係合する内向きフランジ状の保持枠とを備え、少なくとも対向する一対の保持枠のカード搭載面に、所望の厚さの絶縁膜を形成したことを特徴とするカードコネクタ。
【請求項２】
前記絶縁膜は、前記金属製トレイのカード搭載面に絶縁インクを転写することにより形成され、所望温度で焼き付けられていることを特徴とする請求項１に記載のカードコネクタ。
【請求項３】
前記絶縁膜は、前記金属製トレイのカード搭載面に絶縁インクを印刷することにより形成され、所望温度で焼き付けられていることを特徴とする請求項１に記載のカードコネクタ。
【請求項４】
前記絶縁膜は、前記金属製トレイのカード搭載面にシート状絶縁インクを貼付することにより形成され、所望温度で焼き付けられていることを特徴とする請求項１に記載のカードコネクタ。
【請求項５】
前記絶縁膜は、所定間隔でスリットを形成されていることを特徴とする請求項１ないし４のいずれかに記載のカードコネクタ。
【請求項６】
前記電子機器は、移動体通信機であり、前記カードがＳＩＭカードであることを特徴とする請求項１ないし５のいずれかに記載のカードコネクタ。
【発明の詳細な説明】
【技術分野】
【０００１】
本発明は、電子機器に組み込まれ、この電子機器に対して電子的な情報を入力及び／又は出力するカードを装着するためのカードコネクタに関する。
【背景技術】
【０００２】
近年、移動体通信機等の電子機器にＩＣカードを装着して、このＩＣカードと電子機器との間で情報のやりとりを行う技術が開発されている。
特に、近時、契約者情報を記録したＳＩＭ（Subscriber Identity Module）カードを移動体通信機に挿入することにより、複数の通信機を同じ契約者扱いで使用したり、１台の通信機を複数の契約者が自分専用の通信機として機能させたりする技術が実用化されている。
【０００３】
このようなカードは、利用者が容易に電子機器に着脱可能であることが必要である。このため電子機器には、カードが着脱可能であり、カードが装着されたときにはカードを確実に保持し、かつ電子機器の内部回路との間で電気的接続を確保するカードコネクタが設けられている。
したがってカードコネクタには、カードに情報を書き込んだり、カードから情報を読み込んだりしている状態で、電子機器に外部から衝撃等の負荷が印加されたときに、カードがカードコネクタから外れてしまったり、カードコネクタから外れないまでも電気的接続が取れなくなったりすると、カードに情報が誤って記録されたり、情報が消去されたりする可能性があるため、カードの着脱が容易であるとともに、電気信号の接点が衝撃に強いことが要求される。
【０００４】
従来、移動体通信機に組み込まれるＳＩＭカードのコネクタには、カードをカードコネクタの端子とカードの端子との間の接触面に垂直な方向に移動させて着脱する垂直接点タイプと、カードを前記接触面に平行な方向にスライドさせて着脱する挿入タイプとがある。挿入タイプには、トレイを使わずにカードを直接装着するタイプと、専用のトレイを引き出してこのトレイにカードを搭載してトレイを挿入するタイプがある。
【０００５】
しかしながら、上述の従来の技術には、以下に示すような問題点がある。
１）垂直接点タイプのカードコネクタにおいては、このカードコネクタを搭載する電子機器の筐体にカードの外形よりも大きな開口部を設ける必要がある。この結果、電子機器のデザインの自由度が損なわれる。特に、小型化が進んでいる移動体通信機においては、筐体の全表面に占める前記開口部の割合が大きいため、デザインの自由度が大きく損なわれる。
【０００６】
２）また、例えばトレイを使用しない挿入タイプのコネクタにおいては、カード自体には挿抜のための機構、例えば突起又は溝等が設けられていないため、カードを挿抜する機構、カードを保持する機構、落下等の衝撃からカードを保護する機構が、カードコネクタの内部に必要となる。
すなわち、コネクタ内部に極めて複雑な機構を内蔵する必要があり、この結果、移動体通信機に本来要求される小型化、薄型化を阻害してしまう。
【０００７】
３）さらに専用のトレイを備えたカードコネクタにおいては、トレイの引き出し部にカードを搭載した上でトレイをスライドさせて装着するため、トレイの引き出し部をカードの外形よりも大きくする必要がある。このため、このトレイを収納するカードコネクタもカードの外形よりもかなり大きなものとなり、電子機器の小型化、薄型化を阻害する。特に、小型化、薄型化が強く要求されている移動体通信機においては、この問題は深刻である。
【先行技術文献】
【特許文献】
【０００８】
【特許文献１】特許第３１２１７４７号公報
【特許文献２】特開２００１−２４４００４号公報
【特許文献３】特開２００３−１７１８３号公報
【特許文献４】特開２００４−７９４９４号公報
【特許文献５】特許第４７２０８２４号公報
【発明の開示】
【発明が解決しようとする課題】
【０００９】
ところで、前記トレイはプラスチック成型品が用いられることが多いが、小型化、薄型化のために金属製トレイを使用することが考えられる。
その際に一番大きな問題となるのがカード端子との絶縁の問題であり、まず最初に金属製トレイを絶縁素材の液に浸漬したり、塗装してその全面に絶縁膜を形成することが考えられる。
しかしながら、金属製トレイ全体への絶縁塗装では、金属製トレイへのカードの出し入れの際等に塗装部分とカードが擦れて塗装の剥がれなどの問題が生じることが分かった。
また他の部分にマスキングを施して所望の箇所のみに塗装しようとしても、金属製トレイ自体が小型であるためマスキングが難しく、量産性が非常に悪いという問題点があった。
【００１０】
本発明はかかる問題点に鑑みてなされたものであって、金属製トレイのカード搭載部分のみに絶縁膜を形成することができ、金属製トレイにカードを搭載する際にも絶縁膜部分とカードが擦れて絶縁膜の剥がれなどの問題が生じることがなく、小型化及び薄型化が可能であるカードコネクタを提供することを目的とする。
【課題を解決するための手段】
【００１１】
この発明のカードコネクタは、電子機器に搭載され、この電子機器に対して電子的な情報を入力及び／又は出力するカードを前記電子機器に着脱するカードコネクタにおいて、
前記電子機器に対してその一部が前記コネクタ本体から引き出された引出位置と前記コネクタ本体内に押し込まれた押入位置との間を移動可能に設けられ、前記コネクタ本体から引き出された引出位置において前記カードを収納保持する金属製トレイであって、
前記金属製トレイは外枠と、該外枠の内側において前記カードを係合する内向きフランジ状の保持枠とを備え、少なくとも対向する一対の保持枠のカード搭載面に、所望の厚さの絶縁膜を形成したことを特徴とするものである。
【００１２】
この発明のカードコネクタにおいて、前記絶縁膜は、前記金属製トレイのカード搭載面に絶縁インクを転写することにより形成され、所望温度で焼き付けられていることをも特徴とするものである。
【００１３】
この発明のカードコネクタにおいて、前記絶縁膜は、前記金属製トレイのカード搭載面に絶縁インクを印刷することにより形成され、所望温度で焼き付けられていることをも特徴とするものである。
【００１４】
この発明のカードコネクタにおいて、前記絶縁膜は、前記金属製トレイのカード搭載面にシート状絶縁インクを貼付することにより形成され、所望温度で焼き付けられていることをも特徴とするものである。
【００１５】
この発明のカードコネクタにおいて、前記絶縁膜は、所定間隔でスリットを形成されていることをも特徴とするものである。
【００１６】
この発明のカードコネクタにおいて、前記電子機器は、移動体通信機であり、前記カードがＳＩＭカードであることをも特徴とするものである。
【発明の効果】
【００１７】
本発明によれば、金属製トレイのカード搭載部分のみに絶縁膜を形成することができ、金属製トレイにカードを搭載する際にも絶縁膜部分とカードが擦れて絶縁膜の剥がれなどの問題が生じることがなく、小型化及び薄型化が可能であるカードコネクタを得ることができる。
また、転写や印刷、シート状絶縁インクの貼付という非常に簡単な手段で絶縁膜を形成することができ、品質に優れた製品を迅速に供給することが可能となった。
【図面の簡単な説明】
【００１８】
【図１】本発明に係るカードコネクタと電子機器との関係を示すもので、（ａ）は電子機器から金属製トレイを抜き出し、さらにカードを取り出した状態の平面図、（ｂ）は電子機器にカードを搭載した金属製トレイを挿入する状態の平面図である。
【図２】本発明の１実施例に係るカードコネクタを示し、（ａ）は金属製トレイの上面図、（ｂ）はその底面図である。
【図３】前記金属製トレイを示す斜視図である。
【図４】前記金属製トレイのフランジ状の保持枠部分に絶縁膜を形成した状態を示す斜視図である。
【図５】前記金属製トレイのフランジ状の保持枠部分に絶縁膜を形成する工程を示し、（ａ）はシリコンゴム製転写体の転写面に絶縁素材を塗布する工程を示す概略断面図、（ｂ）は前記金属製トレイのフランジ状の保持枠部分に絶縁膜を転写する工程を示す概略断面図、（ｃ）は絶縁膜を転写された前記金属製トレイのフランジ状の保持枠部分を示す概略断面図である。
【図６】前記金属製トレイのフランジ状の保持枠部分に絶縁膜を印刷により形成する手段を示す概略断面図である。
【図７】前記金属製トレイのフランジ状の保持枠部分に絶縁膜をシート状絶縁インクを貼付することにより形成する工程を示し、（ａ）は別途準備したシリコンゴム製治具の貼付面にシート状絶縁インクを貼付する工程を示す概略断面図、（ｂ）は前記金属製トレイのフランジ状の保持枠部分にシート状絶縁インクを貼付する工程を示す概略断面図、（ｃ）はシート状絶縁インクを貼付された前記金属製トレイのフランジ状の保持枠部分を示す概略断面図である。
【図８】前記絶縁膜に所定間隔のスリットが形成されている状態を示す概略断面図である。
【発明を実施するための形態】
【００１９】
以下、本発明の実施形態について添付の図面を参照して具体的に説明する。
図１に示すように、本実施形態に係るカードコネクタ１１は、コネクタ本体２１と金属製トレイ２２によって構成されており、金属製トレイ２２の内部にＳＩＭカード等のカード２３が装着されるようになっている。
コネクタ本体２１は電子機器内の実装基板（図示せず）に実装されており、電子機器内に固定されている。例えばＳＩＭカード２３の形状は略矩形の板状であり、矩形の１つの角部が斜めに切り落とされている。
金属製トレイ２２は、コネクタ本体２１に対して相対的に長手方向にスライドするようになっており、金属製トレイ２２全体がコネクタ本体２１内に押し込まれた押入位置と、金属製トレイ２２がコネクタ本体２１から引き出された引出位置との間を移動可能となっている。
【００２０】
次に、金属製トレイ２２の構成について説明する。図２（ａ），（ｂ）および図３に示すように、金属製トレイ２２は、外枠３１と、該外枠３１の内側において前記カード２３を係合する内向きフランジ状の保持枠３２とを備えている。
そして、図４に示すように少なくとも対向する一対の保持枠３２ａのカード搭載面３２ｂに、所望の厚さの絶縁膜３３が形成してある。
【００２１】
この実施例のカードコネクタ１１において、前記絶縁膜３３は、前記金属製トレイ２２のカード搭載面３２ｂに絶縁インクを転写することにより形成され、所望温度で焼き付けている。
すなわち、図５は前記金属製トレイ２２のフランジ状の保持枠３２部分に絶縁膜３３を転写により形成する工程を示している。
（ａ）は容器４１に絶縁インク４２を充填し、別途準備したシリコンゴム製転写体４３の転写面４４に絶縁インク４２を塗布する工程、
（ｂ）は前記金属製トレイ２２のフランジ状の保持枠３２部分に絶縁膜３３を転写する工程、
（ｃ）は絶縁膜３３を転写された前記金属製トレイ２２のフランジ状の保持枠３２部分を示す。
【００２２】
前記工程において使用される絶縁インクとしては、二液反応型のインク素材（例えば十条ケミカル株式会社製のＰＡＤ−ＥＰＨインキ）等が好適に使用することができる。
また絶縁インクに配合する硬化剤としては、十条ケミカル株式会社製のＪＡ−９６０等が好適に使用できる。
配合は、前記インク素材１００重量部に対して前記硬化剤を１０〜２０重量部加え、これらを１００重量部として溶剤を５〜２０重量部加えてよく撹拌してから使用する。
なお、焼き付け温度は、１２０℃で２０分程度が望ましい。
また上記硬化剤として十条ケミカル株式会社製のＪＡ−１００を使用すると、１５０℃、５分程度の焼き付け時間に短縮することができる。
【００２３】
また、図６は前記金属製トレイ２２のフランジ状の保持枠３２部分に絶縁膜３３を印刷により形成する手段を示している。
すなわち、印刷用のインクジェットのノズル５１を前記金属製トレイ２２のフランジ状の保持枠３２部分に配置し、該ノズル５１から絶縁インクを吐出させて絶縁膜３３を形成するのである。
もちろん、絶縁インクの焼き付け時間は上述の通りである。
【００２４】
図７は前記金属製トレイ２２のフランジ状の保持枠３２部分に絶縁膜３３をシート状絶縁インクを貼付することにより形成する工程を示している。
（ａ）は別途準備したシリコンゴム製治具６１の貼付面６２にシート状絶縁インク６３を貼付する工程、
（ｂ）は前記金属製トレイ２２のフランジ状の保持枠３２部分にシート状絶縁インク６３を貼付する工程、
（ｃ）はシート状絶縁インク６３を貼付された前記金属製トレイ２２のフランジ状の保持枠３２部分を示す。
前記シート状絶縁インク６３の調整に際しては、シート状基材に所定形状に絶縁インクを塗布し、半乾燥等の処理によってグリーンシートとしておくことができる。これを粘着テープのような状態で使用すればよい。
もちろん、絶縁インクの焼き付け時間は上述の通りである。
【００２５】
前記各カードコネクタ１１において前記絶縁膜３３には、図８に示すようにそれぞれ所定間隔でスリット７１を形成することができる。
このようにスリット７１を形成することにより、前記カード２３を取り出す際の取り出しがしやすく、また絶縁膜３３がよりクッション性をもって前記カード２３を安全に保持することができ、多少のゴミ等が発生してもスリット７１内に収納されるためにカード２３へのゴミの付着を軽減することができるというメリットがある。
【００２６】
本実施形態においては、金属製トレイ２２を使用してＳＩＭカード等のカード２３を装着しているため、カード２３自体に挿抜のための突起又は溝等が設けられていなくても、単純な構成によって、カード２３の挿抜、保持、電気的接続の確保及び保護を行うことができる。このため、カードコネクタ１１を小型化及び薄型化することができる。
【産業上の利用可能性】
【００２７】
本発明は、例えば移動体通信機、デジタルカメラ、デジタルビデオカメラ、ＰＤＡ、ノート型パーソナルコンピューター等の電子機器にＳＩＭカード等の電子的な情報を入力及び／又は出力するカードを挿抜するためのカードコネクタに好適に利用することができる。
【符号の説明】
【００２８】
１１  カードコネクタ
２１  コネクタ本体
２２  金属製トレイ
２３  カード
３１  外枠
３２  保持枠
３２ａ  一対の保持枠
３２ｂ  カード搭載面
３３  絶縁膜
４１  容器
４２  絶縁素材
４３  シリコンゴム製転写体
４４  転写面
５１  インクジェット用ノズル
６１  シリコンゴム製治具
６２  貼付面
６３  シート状絶縁インク
７１  スリット
【図１】
2016072048.tif 000003
【図２】
2016072048.tif 000004
【図３】
2016072048.tif 000005
【図４】
2016072048.tif 000006
【図５】
2016072048.tif 000007
【図６】
2016072048.tif 000008
【図７】
2016072048.tif 000009
【図８】
2016072048.tif 000010